(57)【特許請求の範囲】
【請求項１】
光記録媒体に対して光記録装置を用いて情報を光学的に記録または再生する光記録再生方法であって、
前記光記録媒体を前記光記録装置に装着する装着工程と、
前記光記録装置から前記光記録媒体へと出射されるレーザ光のパワーを再生パワーに設定する再生パワー設定工程と、
記録識別子に基づいて、前記光記録媒体への情報の記録可否を識別する記録可否識別工程と、
識別された前記記録可否に基づいて、前記光記録媒体の回転速度を制御する回転速度制御工程とを含み、
前記記録可否識別工程において記録の禁止が識別された場合には、前記回転速度制御工程において、前記光記録媒体の回転速度を一定とするモードを選択し、
前記記録可否識別工程において記録の許容が識別された場合には、前記回転速度制御工程において、前記光記録媒体を回転中心からの距離に基づいて区分けされた複数の領域における前記レーザ光の走査線速度の相違を緩和するように、前記領域ごとに、前記光記録媒体の回転速度を制御するモードを選択することを特徴とする光記録再生方法。
【請求項２】
前記記録可否識別工程において記録の許容が識別された場合には、前記複数の領域におけるレーザ光の走査線速度が略同一となるように、前記領域ごとに、光記録媒体の回転速度を制御する請求項１記載の光記録再生方法。
【請求項３】
前記記録可否識別工程において記録の禁止が識別された場合には、再生パワーを有するレーザ光により、光記録媒体上に記録されたユーザ情報を再生するユーザ情報再生工程、および前記ユーザ情報の再生の要求を待機する再生待機工程のいずれかをさらに実施し、
前記記録可否識別工程において記録の許容が識別された場合には、前記再生パワーを有するレーザ光により、前記光記録媒体上に記録されたユーザ情報を管理する管理情報を再生する管理情報再生工程と、前記光記録媒体に適した記録条件を抽出するための記録学習工程とを、この順にさらに実施する請求項１または２記載の光記録媒体の記録再生方法。
【請求項４】
前記記録学習工程は、前記光記録媒体に適したレーザ出射パワーを抽出する記録パワー学習工程、前記光記録媒体に適した記録パルス条件を抽出する記録パルス学習工程、記録時における前記光記録媒体に適したサーボ条件を抽出する記録サーボ学習工程、前記光記録媒体の溝パラメータを決定する溝パラメータ学習工程、および前記光記録媒体に対するイコライズ量を決定するイコライズ量学習工程のうちから選ばれる少なくとも１つの工程である請求項３記載の光記録再生方法。
【請求項５】
光記録媒体に対して情報を光学的に記録または再生するための光記録装置であって、
前記光記録媒体を装着する装着手段と、
装着された前記光記録媒体へとレーザ光を出射する光ヘッドと、
前記レーザ光のパワーを再生パワーに設定する再生パワー設定手段と、
記録識別子に基づいて、前記光記録媒体への情報の記録可否を識別する記録可否識別手段と、
前記再生パワーを有するレーザ光により、前記光記録媒体上に記録された情報を再生する情報再生手段と、
前記光記録媒体の回転速度を制御する回転速度制御手段と、
前記記録可否識別手段により記録の禁止が識別された場合には、前記回転速度制御手段により前記光記録媒体の回転速度を一定とするモードを選択し、
前記記録可否識別手段により記録の許容が識別された場合には、前記回転速度制御手段により前記光記録媒体を回転中心からの距離に基づいて区分けした複数の領域における前記レーザ光の走査線速度の相違を緩和するように、前記領域ごとに、前記光記録媒体の回転速度を制御するモードを選択する制御手段とを備えたことを特徴とする光記録装置。
【請求項６】
記録可否識別手段により記録の許容が識別された場合、制御手段が、複数の領域におけるレーザ光の走査線速度が略同一となるように、前記領域ごとに、光記録媒体の回転速度を制御する請求項５記載の光記録装置。
【請求項７】
前記制御手段が、
前記記録可否識別手段により記録の禁止が識別された場合には、前記回転速度制御手段の動作完了後、前記情報再生手段を、直ちにまたは情報の再生の要求を受けた後に動作させ、
前記記録可否識別手段により記録の許容が識別された場合には、前記回転速度制御手段の動作完了後、前記情報再生手段により光記録媒体上に記録されたユーザ情報を管理する管理情報を再生してから、前記光記録媒体に適した記録条件を抽出するための記録学習手段を動作させる請求項５または６記載の光記録装置。
【請求項８】
前記記録学習手段は、前記光記録媒体に適したレーザ出射パワーを抽出する記録パワー学習手段、前記光記録媒体に適した記録パルス条件を抽出する記録パルス学習手段、記録時における前記光記録媒体に適したサーボ条件を抽出する記録サーボ学習手段、前記光記録媒体の溝パラメータを決定する溝パラメータ学習手段、および前記光記録媒体に対するイコライズ量を決定するイコライズ量学習手段のうちから選ばれる少なくとも１つの手段である請求項７記載の光記録装置。
【発明の詳細な説明】
【０００１】
【発明が属する技術分野】
本発明は、記録層を含む薄膜を基板上に備えた光記録媒体上にレーザービーム等の高エネルギービームを照射することにより、光記録媒体に対して情報を記録再生する方法および装置に関し、特に、光記録媒体に記録されている情報をより短時間で再生することができる方法に関するものである。
【０００２】
【従来の技術】
近年、情報の記録再生消去が可能な光記録媒体や、この光記録媒体に対して情報を記録再生する光記録装置が商品化されている。さらに、高画質の動画を記録再生することが可能な高密度の書換型の光記録媒体や光記録装置の研究開発が活発に行われている。書換型の光記録媒体としては、ディスク形状をし、凹凸状のトラックを設けた基板上に、例えばＧｅ−Ｓｂ−ＴｅやＩｎ−Ｓｂ−Ｔｅ等のカルコゲナイド薄膜を備えた相変化型光記録媒体が知られている。また、Ｆｅ−Ｔｂ−Ｃｏ等の金属薄膜を記録層として備えた光磁気記録媒体が知られている。
【０００３】
相変化型光記録媒体では、例えば、上記したような相変化材料からなる記録薄膜層に集光したレーザビームを照射し、照射部を局部的に所定の温度に加熱する。照射部分は、到達温度が結晶化温度以上になれば結晶の状態に転換し、融点を越え溶融した後急冷すればアモルファス状態に転換する。アモルファス状態、結晶状態のいずれかを記録状態、消去状態（未記録状態）と定義し、情報信号に対応させたパターンで媒体にアモルファスマークを形成することで記録を行う。また、これらの状態変化は可逆性があり、情報の記録または消去が繰り返して行なわれる。結晶状態とアモルファス状態とでは光学的な特性が異なり、この特性差を利用して、反射率変化、あるいは透過率変化として光学的に検出することで信号を再生することができる。
【０００４】
光磁気記録媒体では、例えば、光磁気記録薄膜に集光したレーザビームを照射し、局部的に所定の温度に加熱する。加熱と同時に磁界を加え、光磁気記録薄膜の磁化方向を情報に応じて反転させることによって、情報の記録または書き換えが繰り返し行われる。
【０００５】
以下、従来の高密度記録再生を行う光記録媒体の記録再生方法について説明する。
【０００６】
光記録媒体が光記録装置に装着されると、光記録媒体の回転が始まる。その後、光記録装置は、レーザパワーを再生パワーに設定し、レーザビームが情報を記録再生するためのトラッキング条件やフォーカス条件でトラックを走査するサーボ条件に設定する。次に、光記録媒体に最適なレーザパワーで情報を記録するために、予め、半導体レーザのパワーを増減し、最適書き込みパワーを抽出するパワー学習が行われる。さらに、特開平７−１２９９５９号公報に記載されているように、記録する情報パターンに応じて、記録パルス列を適正に補正するという方法が提案されており、この最適な記録パルス条件を抽出する記録パルス学習をする。以上、一連の動作が終了すると、光記録装置は、光記録媒体に対して情報を記録再生することが可能となり、パソコンからの命令により光記録媒体に記録されている情報の読み出し、及び光記録媒体への情報の記録が可能となる。
【０００７】
【発明が解決しようとする課題】
しかしながら、上記のように光記録装置に光記録媒体を装着し、光記録媒体に記録されている情報を読み出す場合、この読み出しが開始可能となるのは、パワー学習、記録パルス学習、さらにはサーボ学習等の一連の学習工程を行い、ホストコンピュータに光記録装置が使用開始可能の旨を伝えた後である。すなわち、一連の学習工程に時間を要する。これらの学習工程は、高密度記録対応の光記録媒体ほど長時間化する傾向があり、最適記録条件を学習により抽出する時間が、例えば数十秒を要する場合もある。したがって、光記録媒体の装着からデータ再生までのユーザの待ち時間が長くなるという問題があった。
【０００８】
また、この間、ユーザはただ待機しており、待ち時間が有効に活用されていないという問題もあった。
【０００９】
そこで、本発明は、上記課題を解決し、光記録媒体の高密度化に伴って長時間化しているユーザの待機時間を短縮することを目的とする。
【００１０】
また、本発明は、ユーザの待機時間を有効に活用することを目的とする。
【００１１】
【課題を解決するための手段】
【００２２】
前記目的を達成するため、本発明に係る光記録再生方法は、光記録媒体に対して光記録装置を用いて情報を光学的に記録または再生する光記録再生方法であって、前記光記録媒体を前記光記録装置に装着する装着工程と、前記光記録装置から前記光記録媒体へと出射されるレーザ光のパワーを再生パワーに設定する再生パワー設定工程と、記録識別子に基づいて、前記光記録媒体への情報の記録可否を識別する記録可否識別工程と、識別された前記記録可否に基づいて、前記光記録媒体の回転速度を制御する回転速度制御工程とを含み、
前記記録可否識別工程において記録の禁止が識別された場合には、前記回転速度制御工程において、前記光記録媒体の回転速度を一定とするモードを選択し、
前記記録可否識別工程において記録の許容が識別された場合には、前記回転速度制御工程において、前記光記録媒体を回転中心からの距離に基づいて区分けされた複数の領域における前記レーザ光の走査線速度の相違を緩和するように、前記領域ごとに、前記光記録媒体の回転速度を制御するモードを選択することを特徴とする。
【００２３】
この方法によれば、記録可否識別工程における判断を利用して、回転速度制御工程が必要とされる範囲で行われる。また、再生時に回転速度を変更する頻度が少なくなり、任意のトラックへの検索時間を短縮できる。このため、ユーザの待機時間を短縮できる。
【００２４】
前記光記録再生方法では、前記記録可否識別工程において記録の許容が識別された場合には、前記複数の領域におけるレーザ光の走査線速度が略同一となるように、前記領域ごとに、光記録媒体の回転速度を制御することが好ましい。
【００２５】
また、前記記録可否識別工程において記録の禁止が識別された場合には、再生パワーを有するレーザ光により、光記録媒体上に記録されたユーザ情報を再生するユーザ情報再生工程、および前記ユーザ情報の再生の要求を待機する再生待機工程のいずれかをさらに実施し、
前記記録可否識別工程において記録の許容が識別された場合には、前記再生パワーを有するレーザ光により、前記光記録媒体上に記録されたユーザ情報を管理する管理情報を再生する管理情報再生工程と、前記光記録媒体に適した記録条件を抽出するための記録学習工程とを、この順にさらに実施することが好ましい。
【００２７】
これらの好適な形態によれば、ユーザの待機時間をさらに短縮し、あるいは有効活用することができる。
【００２８】
また、前記記録学習工程は、前記光記録媒体に適したレーザ出射パワーを抽出する記録パワー学習工程、前記光記録媒体に適した記録パルス条件を抽出する記録パルス学習工程、記録時における前記光記録媒体に適したサーボ条件を抽出する記録サーボ学習工程、前記光記録媒体の溝パラメータを決定する溝パラメータ学習工程、および前記光記録媒体に対するイコライズ量を決定するイコライズ量学習工程のうちから選ばれる少なくとも１つの工程であることが好ましい。
【００４０】
前記目的を達成するため、本発明に係る光記録装置は、光記録媒体に対して情報を光学的に記録または再生するための光記録装置であって、前記光記録媒体を装着する装着手段と、装着された前記光記録媒体へとレーザ光を出射する光ヘッドと、前記レーザ光のパワーを再生パワーに設定する再生パワー設定手段と、記録識別子に基づいて、前記光記録媒体への情報の記録可否を識別する記録可否識別手段と、前記再生パワーを有するレーザ光により、前記光記録媒体上に記録された情報を再生する情報再生手段と、前記光記録媒体の回転速度を制御する回転速度制御手段と、前記記録可否識別手段により記録の禁止が識別された場合には、前記回転速度制御手段により前記光記録媒体の回転速度を一定とするモードを選択し、前記記録可否識別手段により記録の許容が識別された場合には、前記回転速度制御手段により前記光記録媒体を回転中心からの距離に基づいて区分けした複数の領域における前記レーザ光の走査線速度の相違を緩和するように、前記領域ごとに、前記光記録媒体の回転速度を制御するモードを選択する制御手段とを備えたことを特徴とする。
【００４１】
この構成によれば、記録可否識別手段による判断を利用することで、回転速度制御手段のどうさが必要とされる範囲で行われる。また、再生時に回転速度を偏向する頻度が少なくなり、任意のトラックへの検索時間を短縮できる。このため、ユーザの待機時間を短縮できる。
【００４２】
前記光記録装置では、記録可否識別手段により記録の許容が識別された場合、制御手段が、複数の領域におけるレーザ光の走査線速度が略同一となるように、前記領域ごとに、光記録媒体の回転速度を制御することが好ましい。
【００４３】
また、前記制御手段が、
前記記録可否識別手段により記録の禁止が識別された場合には、前記回転速度制御手段の動作完了後、前記情報再生手段を、直ちにまたは情報の再生の要求を受けた後に動作させ、
前記記録可否識別手段により記録の許容が識別された場合には、前記回転速度制御手段の動作完了後、前記情報再生手段により光記録媒体上に記録されたユーザ情報を管理する管理情報を再生してから、前記光記録媒体に適した記録条件を抽出するための記録学習手段を動作させることが好ましい。
【００４５】
これらの好適な形態によれば、ユーザの待機時間をさらに短縮し、あるいは有効活用することができる。
【００４６】
また、前記記録学習手段は、前記光記録媒体に適したレーザ出射パワーを抽出する記録パワー学習手段、前記光記録媒体に適した記録パルス条件を抽出する記録パルス学習手段、記録時における前記光記録媒体に適したサーボ条件を抽出する記録サーボ学習手段、前記光記録媒体の溝パラメータを決定する溝パラメータ学習手段、および前記光記録媒体に対するイコライズ量を決定するイコライズ量学習手段のうちから選ばれる少なくとも１つの手段であることが好ましい。
【００４７】
したがって、上記方法および構成によれば、記録情報のディレクトリ内容等を優先してホストコンピュータに転送した後、記録学習工程を行うことで、記録情報のディレクトリ内容等をユーザがホストコンピュータ側から確認している間を利用して学習動作を行うことが可能となる。このため、ユーザ側からは、一連の記録学習工程に伴う待機時間をほぼ無視できる程度にまで短縮することが可能になる。
【００４８】
また、光記録媒体に記録されている情報再生が優先され、さらに一定時間待機した後、記録学習をすることで、再生動作が優先され、光記録媒体の情報再生が可能となるまでの時間自体が大幅に短縮される。また、一定時間経過後に記録学習を行う機能により、ユーザから見た場合には、記録学習の時間をほぼ無視することができる。
【００４９】
また、光記録媒体への記録が禁止状態の場合には、情報の記録、書き換え、及び消去を実行するために必要な、一連の記録学習工程が省略されるので、光記録装置は短時間で再生可能な待機状態になる。
【００５０】
特に、書き込みが禁止されている光記録媒体の場合、再生時に光ビームが光記録媒体の半径方向に移動しても、回転速度が一定になる、あるいは回転速度を変更する頻度が小さくなるようしたので、回転速度変更に必要な時間を短縮することができる。
【００５１】
【発明の実施の形態】
以下、図面を参照して、本発明の光記録再生方法及び光記録装置の好ましい形態について説明する。
【００５２】
（第１実施形態）
図１は、本実施形態に係る光記録装置の概略構成を示すブロック図である。
【００５３】
図１において、光記録装置１には、光記録媒体１１（光ディスク）がクランプ２３を介して装着されており、光ディスク１１はディスク表面を保護するためにケース（カートリッジ）に収納されている。１３は光ヘッドであり、内蔵する半導体レーザ１３１の射出光を光ディスク１１上に集光させると共に、光ディスク１１からの反射光を内蔵する光検出器１３２に導き、電気信号に変換して出力する。なお、光検出器１３２は、分割線が光ディスク１１のトラックと平行方向になるように配置された、すなわちプッシュプルトラッキングエラー信号を検出できる方向に配置された２分割光検出器として構成されている。
【００５４】
また、光記録装置１には、記録する情報に対応して記録パルスを発生させるための記録パルス発生回路１４、レーザ光を所定の出射パワーと記録パルス発生回路１４の出力信号で光ディスク１１に照射するためのレーザドライバ１５が備えられている。レーザドライバ１５は、情報再生時には、設定された再生レーザパワーで光ヘッド１３内の半導体レーザ１３１を直流発光させ、情報記録時には、後述するＰＬＬ回路１７５から供給されるサーボクロック（ＳＣＬＫ）により、設定された記録レーザパワーで半導体レーザ１３１をパルス発光させる。
【００５５】
１６はサーボプロセッサであり、サーボプロセッサ１６は、スピンドルドライバ２５を介してスピンドルモータ２４を駆動して、クランプ２３を介して装着された光ディスク１１を一定線速度（ＣＬＶ）もしくは一定角速度（ＣＡＶ）で回転駆動させる。
【００５６】
また、サーボプロセッサ１６は、光ディスク１１から検出されるフォーカスエラー信号（ＦＥ）やトラッキングエラー信号（ＴＥ）を誤差情報として、アクチュエータドライバ２６を介して光ヘッド１３内の対物レンズアクチュエータ（図示せず）を光ビームの射出方向と平行方向に駆動して光ビームのフォーカス制御を行なったり、同じくアクチュエータドライバ２６を介して対物レンズアクチュエータを光ディスク１１の半径方向と平行方向に駆動して光ビームのトラッキング制御を行ったりしている。
【００５７】
さらに、サーボプロセッサ１６は、トラバースドライバ２７を介して光ヘッド１３全体を半径方向に移動させるトラバースモータ２８を駆動して光ヘッド１３全体の位置移動制御を行なったり、また、チルトドライバ２９を介して光ヘッド１３に接続されたチルトアクチュエータ（図示しない）を駆動して、光ヘッド１３のラジアルチルト位置制御およびタンジェンシャルチルト位置制御を行っている。
【００５８】
１７は、光ディスク１１から反射した光を情報信号に復調する再生回路であり、この再生回路１７は、光ヘッド１３内の２分割光検出器１３２から得られたそれぞれの光電流信号を加算および減算して増幅し、加算信号（ＳＡ）を後述する低域通過フィルタ（ＬＰＦ）１７２に出力するとともに、減算信号（ＳＤ）を後述するコントローラ１８に出力するプリアンプ１７１と、プリアンプ１７１からの加算信号（ＳＡ）に含まれる高調波成分を除去する低域通過フィルタ（ＬＰＦ）１７２と、ＬＰＦ１７２により低域濾波された信号を、後述するコントローラ１８により設定される所定のイコライズ量で波形等化するイコライザ（ＥＱ）１７３と、アナログ情報信号をコンパレータ等によりパルス情報信号に変換する二値化回路１７４と、二値化回路１７４からのパルス信号に同期しその周波数を逓倍してサーボクロックを生成するＰＬＬ回路１７５と、二値化回路１７４からの変調パルス情報信号をＰＬＬ回路１７５で生成されたサーボクロックに基づいて復調し、後述するコントローラ１８に出力する復調回路１７６とから構成されている。
【００５９】
コントローラ１８は、上記した、記録パルス発生回路１４、レーザドライバ１５、サーボプロセッサ１６、再生回路１７における一連の動作を制御するとともに、外部のホストコンピュータと通信して記録および再生すべき情報の送受信を行っている。
【００６０】
また、コントローラ１８には、タイマー２０と優先モード選択スイッチ２１が接続されているが、これらの動作については後述の実施形態で説明する。
【００６１】
さらに、コントローラ１８には、ジッタ検出回路２２の出力が供給されており、このジッタ検出回路２２は、再生回路１７における二値化回路１７４からのパルス情報信号とＰＬＬ回路１７５からのサーボクロックを受けて、検出した情報信号におけるジッタ量を検出する。このジッタ検出回路２２は、後述するが、記録パワー学習における最適記録パワーと、記録パルス学習における最適な記録パルス幅、前後エッジ位置、始後端パルス位置等と、記録用サーボ学習における最適なフォーカス位置、トラッキング位置、ラジアルチルト位置、およびタンジェンシャルチルト位置と、光ディスク１１の溝パラメータ学習における溝パラメータと、イコライズ量学習におけるＥＱ１７３に設定する最適なイコライズ量を決定するために用いられる。
【００６２】
以上のように構成された光記録装置１による光記録再生方法の手順について、図２に示すフローチャートを用いて説明する。
【００６３】
図２に示す光ディスク装着工程２０１では、光ディスク１１が収容されたケース１２を光記録装置１に挿入してクランプ２３に装着すると、コントローラ１８は、サーボプロセッサ１６に対してスピンドル駆動命令を出し、これを受けてサーボプロセッサ１６は、光ディスク１１を所定回転数で回転させるために、スピンドルドライバ２５を介してスピンドルモータ２４を駆動する。
【００６４】
再生光パワー設定工程２０２では、レーザドライバ１５が、再生モードとなり、光ヘッド１３に内蔵された半導体レーザ１３１からの光ビームの照射強度を再生パワーに設定する。再生サーボ学習工程２０３では、コントローラ１８がサーボプロセッサ１６へ検索命令を出力する。これを受けてサーボプロセッサ１６は、アクチュエータドライバ２６を介して光ヘッド１３内の対物レンズアクチュエータ（図示しない）を駆動し、光ビームが光ディスク１１における予め記録された領域を再生するために必要な再生用トラッキング位置学習、および再生用フォーカス位置学習を行う。
【００６５】
次に、コントローラ１８がサーボプロセッサ１６に対してトラバース駆動命令を出し、これを受けてサーボプロセッサ１６は、トラバースドライバ２７を介してトラバースモータ２８を駆動し、光ヘッド１３を、光ディスク１１上に記録されているデータの位置情報等が記録されている管理情報（例えば、ＭＳ−ＤＯＳやＷｉｎｄｏｗｓのＦＡＴ領域、ディレクトリ、あるいはフォルダ情報）を再生できるように、所定の位置に移送させる。
【００６６】
管理情報再生工程２０４では、再生回路１７が光ヘッド１３に内蔵された光検出器１３２からの出力信号を管理情報信号に復調する。この復調信号は、コントローラ１８を介してホストコンピュータ１９へ送られる。つまり、このステップ２０４により、光ディスク１１上の記録情報のディレクトリ等をホストコンピュータ１９に接続されているディスプレイ（図示しない）を介してユーザが確認できる状態となる。
【００６７】
このユーザの確認期間を利用して、記録学習工程が実施される。記録学習工程は、記録用サーボ学習工程２０５、記録パワー学習工程２０６、記録パルス学習工程２０７、溝パラメータ学習工程２０８、イコライズ量学習工程２０９からなる。
【００６８】
記録用サーボ学習工程２０５には、記録用フォーカス位置学習工程、記録用トラッキング位置学習工程、記録用ラジアルチルト位置学習工程、および記録用タンジェンシャル位置学習工程が含まれる。
【００６９】
記録用フォーカス位置および記録用トラッキング位置学習工程では、コントローラ１８からの命令をサーボプロセッサ１６が受けて、まず、トラバースドライバ２７を介してトラバースモータ２８を駆動させて、光ヘッド１３を、光ディスク１１のユーザ情報記録領域以外の内周側、外周側、または内周側と外周側の両方に設けられたテスト記録領域に移動させ、次に、アクチュエータドライバ２６を介して光ヘッド１３内の対物レンズアクチュエータ（図示しない）を駆動させて、フォーカス位置およびトラッキング位置を変えながらテスト記録を行い、テスト記録領域からの信号を再生し、ジッタ検出回路２２により、再生した信号のジッタ量を測定し、そのジッタ量が最小、または所定値以下となる最適なフォーカス位置およびトラッキング位置を求める。
【００７０】
記録用ラジアルチルト位置および記録用タンジェンシャル位置学習工程では、コントローラ１８からの命令をサーボプロセッサ１６が受けて、チルトドライバ２９を介して光ヘッド１３に接続されたチルトアクチュエータ（図示しない）を駆動させて、ラジアルチルト位置およびタンジェンシャルチルト位置を変えながらテスト記録領域にテスト記録を行い、テスト記録領域からの信号を再生し、その再生信号品質としてのジッタ量をジッタ検出回路２２により測定し、そのジッタ量が最小、または所定値以下となる最適なラジアルチルト位置およびタンジェンシャルチルト位置を求める。
【００７１】
このようにして記録用サーボ学習工程２０５が終了すると、次に記録パワー学習工程２０６に移行する。
【００７２】
記録パワー学習工程２０６では、コントローラ１８からの命令をサーボプロセッサ１６が受けて、まず、トラバースドライバ２７を介してトラバースモータ２８を駆動させて、光ヘッド１３をテスト記録領域に移動させ、次に、コントローラ１８は、レーザドライバ１５に対してレーザ光の照射強度を段階的に変化させてテスト記録を行わせる。次に、レーザドライバ１５が再生モードとなり、光ヘッド１３がテスト記録領域を再生する。その再生信号品質としてのジッタ量をジッタ検出回路２２により測定し、そのジッタ量が最小、または所定値以下である記録領域を抽出し、抽出領域を記録するのに用いたレーザ光照射強度を最適記録パワーとして設定する。
【００７３】
記録パルス学習工程２０７では、コントローラ１８からの命令をサーボプロセッサ１６が受けて、まず、トラバースドライバ２７を介してトラバースモータ２８を駆動させて、光ヘッド１３をテスト記録領域に移動させ、次に、コントローラ１８は、記録パルス発生回路４に対して、記録パルス幅、前後エッジ位置、あるいは始後端パルス位置を段階的に変化させてテスト記録を行わせる。次に、次に、レーザドライバ１５が再生モードとなり、光ヘッド１３がテスト記録領域を再生する。その再生信号品質としてのジッタ量をジッタ検出回路２２により測定し、そのジッタ量が最小、または所定値以下である記録領域を抽出し、抽出領域を記録するのに用いた記録パルスを最適記録パルスとして設定する。
【００７４】
溝パラメータ学習工程２０８では、コントローラ１８からの命令をサーボプロセッサ１６が受けて、まず、トラバースドライバ２７を介してトラバースモータ２８を駆動させて、光ヘッド１３をテスト記録領域に移動させテスト記録を行わせる。次に、コントローラ１８は、再生モードに移行させ、２分割光検出器１３２からのプリアンプ１７１で増幅された減算信号（ＳＤ）を受け取り、テスト記録中のトラックにおけるウォブルピット振幅を記憶する。このウォブルピット振幅を基準にして、光ディスク１１上の指紋や汚れの有無を検出し、記録パワーの設定値に対して補正を行う。
【００７５】
なお、溝パラメータ学習工程２０８は、溝形状を示す指標が求まるのならば、他の方法でもかまわない。
【００７６】
イコライズ量学習工程２０９では、コントローラ１８からの命令をサーボプロセッサ１６が受けて、まず、トラバースドライバ２７を介してトラバースモータ２８を駆動させて、光ヘッド１３をテスト記録領域に移動させテスト記録を行わせる。次に、コントローラ１８は、再生モードに移行させ、イコライザ（ＥＱ）１７３に設定するイコライズ量（例えば、ブースト量）を変えながら再生した信号を受け取り、その再生信号品質としてのジッタ量をジッタ検出回路２２により測定し、そのジッタ量が最小、または所定値以下となる最適イコライズ量を求める。
【００７７】
なお、上記記録学習工程において、ジッタ検出回路２２により再生信号のジッタ量を測定して、最適な記録条件を決定するようにしたが、たとえば、ビットエラーレートを検出する方法でもかまわない。
【００７８】
以上の工程を経て、光記録装置１は、実際のユーザ情報に対する記録再生待機状態となり、光ディスク１１に記録されている内容の再生、追記、書き換え、及び消去が可能となる。
【００７９】
以上、図２に示した手順では、光ディスク１１を光記録装置１に装着した場合において、まず、光ディスク１１上に記録されている情報のディレクトリ内容を再生できるようにし、その情報を優先してホストコンピュータに転送した後、記録用サーボ学習工程２０５、記録パワー学習工程２０６、記録パルス学習工程２０７、溝パラメータ学習工程２０８、およびイコライズ量学習工程２０９を行うことになる。即ち、記録情報のディレクトリをユーザがホストコンピュータ１９側から確認している間を利用して学習動作を行うことが可能となる。このため、ユーザ側からは、一連の記録学習工程に伴う時間ロスがほぼ無視できるようになる。
【００８０】
（第２実施形態）
次に、再生可能となった状態の後、一定時間待機し、記録学習をする光記録再生方法について、図３を参照して説明する。
【００８１】
図３は、本実施形態に係る光記録再生方法の手順を示したフローチャートである。図３の手順に従って動作する光記録装置としては、図１の光記録装置１を用いることができる。本実施形態では、待機時間をカウントするタイマー２０も使用される。図３において、光ディスク装着工程２０１から再生サーボ学習工程２０３までは、第１実施形態と同様の動作であり、説明を省略する。
【００８２】
リードイン再生工程３０１では、光ヘッド１３が、光ディスク１１に設けられた、光ディスク１１の種類や再生条件の情報が記録されているリードイン領域を再生する。ここでは、リードイン領域に記録されている情報を予備的情報という。
【００８３】
再生待機判断３０２では、リードイン領域の予備的情報を再生した後、さらに情報再生をするか否かの判断をする。この判断により、再生が中断された場合（Ｎｏ）には、情報記録判断３０５へ処理が移る。情報記録判断３０５でホストコンピュータ１９が記録を要求していない場合は、ステップ３０６で、タイマー２０のカウンタがセットされ、待機時間ｔをカウントアップする。待機時間判断３０７により、カウントアップされた待機時間ｔが所定の待機基準時間Ｔ未満であると判断された場合（Ｎｏ）は、ステップ３０２、３０５、３０６、３０７の処理ループからなるカウントアップ工程が繰り返される。一方、待機時間ｔが所定の待機基準時間Ｔ以上になった場合（Ｙｅｓ）は、記録学習工程３１０が実行され、光ディスク１１は記録再生が可能な待機状態になる。
【００８４】
再生待機判断３０２で情報再生が継続される場合（Ｙｅｓ）は、情報再生工程３０３へ処理が移る。情報再生工程３０３では、光ヘッド１３を移動させ、光ディスク１１に記録されている情報を再生する。この情報再生は、第１実施形態で説明したように、光ディスク１１の管理情報であってもよいし、データ情報であってもよい。次のカウンタリセット工程３０４では、待機時間をカウントしているタイマー２０をリセットする。
【００８５】
次に、情報記録判断３０５で、ホストコンピュータ１９が記録を要求した場合について説明する。記録学習工程３０８では、第１実施形態のステップ２０５、２０６、２０７、２０８、２０９として説明したような記録学習がなされ、光ディスク１１に情報を記録するための最適な記録パワー、記録パルス、トラッキング位置、フォーカス位置、ラジアルチルト位置、タンジェンシャルチルト位置、溝パラメータ、およびイコライズ量を設定する。次の情報記録工程３０９では、ホストコンピュータ１９からの情報が光ディスク１１へ記録され、光記録装置１は記録再生が可能な待機状態になる。
【００８６】
以上、図３に示した手順では、光ディスク１１を光記録装置１に装着した場合において、光ディスク１１に記録されている情報再生が優先され、さらに一定時間待機した後、記録学習をするようにした。この手順の結果、光記録装置１は、再生動作が優先され、光ディスク１１の情報再生が可能となるまでの時間自体が大幅に短縮される。また、一定時間経過後に記録学習を行う機能により、ユーザから見た場合には、記録学習の時間をほぼ無視することができる。
【００８７】
なお、上記では、カウントアップ工程が所定の待機時間Ｔ以上になった場合に記録学習工程３１０が実行される形態について説明したが、この記録学習工程３１０実行中に情報再生が要求された場合には、記録学習工程３１０を中断して情報再生を優先させてもよい。この場合は、記録学習を中断することにより、直ちに情報を再生できるので、ユーザが情報を確認するまでの時間を短縮することができる。
【００８８】
なお、上記では、リードイン再生工程３０１に続いて一定時間待機するモードについて説明したが、図１に示したように、光記録装置１に優先モード選択スイッチ２１を設けることで、再生機能を優先するモードと記録機能を優先するモードを選択できるようにしてもよい。この場合は、例えば、図４のフローチャートに示すように、リードイン再生工程３０１の後、再生優先機能モード判断３１１を行うことが好ましい。この場合、図３のＡに示す部分が図４のＢに示す部分に置き換わる。
【００８９】
図４に示すように、再生優先機能モード判断３１１において、優先モード選択スイッチ２１が記録優先モード（記録学習優先モード）に設定されていると判断した場合（Ｎｏ）は、カウントアップ工程を省略して、直接記録学習工程３１０へと移行し、この工程で最適な記録パワー、トラッキング位置、フォーカス位置、ラジアルチルト位置、タンジェンシャルチルト位置、溝パラメータ、およびイコライズ量を設定した後、記録再生が可能な待機状態となる。
【００９０】
一方、再生優先機能モード判断３１１において、優先モード選択スイッチ２１が再生優先モードに設定されていると判断した場合（Ｙｅｓ）は、図３のＡに示した範囲の各ステップが実行される。すなわち、記録を優先したい場合と再生を優先したい場合を選択し、選択したモードに適した工程を経て待機状態へと至るようにすることができる。
【００９１】
（第３実施形態）
次に、光ディスクに記録可能・禁止を識別するための識別子を設けた場合の光記録装置および光記録再生方法について説明する。
【００９２】
図５は、本発明の第３実施形態による、記録可能禁止識別子を設けた光ディスクに対して記録再生を行う光記録装置の概略構成を示すブロック図である。なお、第１実施形態と同じ符号を付記した要素については同様の構成および機能を有するので、ここでは説明を省略する。
【００９３】
図５において、光記録装置２に光ディスク４１が装着されている。また、光ディスク４１は、ディスク表面保護のためにケース４２に収納されている。ケース４２は識別孔４３を有しており、この識別孔４３の開閉はスライド４７で行う。本実施形態では、識別孔４３が、記録可（許容）の状態である場合には閉じてあり、記録不可（禁止）の状態である場合には開いているものとする。
【００９４】
光記録装置２に備えられた発光ダイオード４４は、光ディスク４１が光記録装置２に装着されたときに、識別孔４３の上部に位置するように設置されている。フォトディテクタ４５は、発光ダイオード４４とケース４２を挟んで対向する位置に設置されている。
【００９５】
光ディスク４１を収納したケース４２が光記録装置２に装着されると、コントローラ１８は、信号Ｌ１を出力し、発光ダイオード４４を点灯させる。発光ダイオード４４から出射された光は、識別孔４３を通過してフォトディテクタ４５へ入射し、電気信号Ｌ２に変換される。記録可能判別回路４６は、発光ダイオード４４をＯＮ／ＯＦＦする信号Ｌ１と、フォトディテクタ４５からの信号Ｌ２を検出し、記録可否を判別し、判別結果出力信号Ｌ３をコントローラ１８に出力する。
【００９６】
次に、光ディスク４１に対して光記録装置２で記録再生する手順について、図６のフローチャートを用いて説明する。
【００９７】
図６に示す光ディスク装着工程５００では、光ディスク４１を光記録装置２に挿入しクランプ２３に装着すると、コントローラ１８は、サーボプロセッサ１６に起動命令を出し、それを受けてサーボプロセッサ１６は、スピンドルドライバ２５を介してスピンドルモータ２４を駆動させて光ディスクを所定回転数で回転させる。再生光パワー設定工程５０１では、レーザドライバ１５が、再生モードとなりレーザ光の照射強度を再生パワーに設定する。記録可否判断５０２では、記録可能判別回路４６で得られた情報により、光ディスク４１への記録が可能であるか、禁止されているかの判断をする。
【００９８】
記録可否判断５０２において、光ディスク４１への記録が禁止されていると判断された場合（Ｙｅｓ）、情報再生工程５０３に移行して、光ヘッド１３の信号を再生回路１７にて情報信号に復調し、復調された信号を、コントローラ１８を介してホストコンピュータ１９へ送る。その後、光記録装置２は、ホストコンピュータ１９から次の命令を受けるための待機状態となる。これにより、ホストコンピュータ１９では、光ディスク４１に記録されている情報を表示することができ、ユーザが光ディスクに記録されている情報の内容を確認することが可能となる。
【００９９】
一方、記録可否判断５０２により、光ディスク４１への記録が可能であると判断された場合（Ｎｏ）、テスト領域シーク工程５０４に移行して、サーボプロセッサ１６が、コントローラ１８からの命令を受けて、トラーバースドライバ２７を介してトラバースモータ２８を駆動させ、光ヘッド１３を光ディスク４１に設けたテスト領域に移動させる。次に、記録学習工程５０５において、例えば、第１実施形態で説明したステップ２０５、２０６、２０７、２０８、および２０９と同様の記録学習動作を行う。その後、情報再生工程５０３を経て、ユーザ情報の記録再生待機状態に至る。
【０１００】
以上の手順により、光ディスク４１が記録禁止状態の場合には、情報の記録、書き換え、及び消去を実行するために必要な、記録用サーボ学習工程２０５、記録パワー学習工程２０６、記録パルス学習工程２０７、溝パラメータ学習工程２０８、およびイコライズ量学習工程２０９が省略されるので、光記録装置２は、短時間で再生可能な待機状態になる。
【０１０１】
なお、上記説明では、記録可否判断５０２で記録可能と判断された場合、ステップ５０４、５０５、及び５０３の手順で光記録装置２を動作させたが、この手順に代えて、第１実施形態で説明したステップ２０４から２０９の手順に従って動作させてもよい。この場合、光ディスク４１が記録可能であっても、まず、光ディスク４１上に記録されている管理情報のディレクトリ内容を再生できるようになり、その情報を優先してホストコンピュータ１９に転送し、その後、記録学習工程を行うようになる。このようにすると、記録情報のディレクトリをユーザがホストコンピュータ側から確認している間を利用して学習動作を行うことが可能となる。即ち、記録情報のディレクトリをユーザがホストコンピュータ側から確認している間を利用して学習動作を行うことが可能となるという利点がある。
【０１０２】
あるいは、記録可否判断５０２で記録可能と判断された場合、図３のＡに示した範囲の手順に従って動作させてもよい。この場合、光ディスク４１に記録されている情報再生が優先され、さらに一定時間待機した後、記録学習をするようになる。この手順の結果、光記録装置２は、再生動作が優先され、光ディスク４１の情報再生が可能となる時間が大幅に短縮される。さらに、一定時間経過後に記録学習を行う機能によりユーザから見た場合には、記録学習の時間をほぼ無視することができる。
【０１０３】
なお、本実施形態では、記録識別子として記録孔４３をケース４２に設けた場合について説明したが、ケースの記録可否を識別できるものであれば他の構成でもかまわない。
【０１０４】
また、ケースのない光ディスクに対しては、記録識別子として記録可否情報を光ディスク上のある領域に記録し、光ディスク装着時に、その領域に光ヘッド１３を移動させ、記録可否情報を再生して記録可否を判断することもできる。
【０１０５】
また、記録識別子をケースと光ディスクの両方に設け、ケースの有無を判断し、ケースがない場合には、光ディスク上のある領域に記録されている記録可否情報を検出するという構成および方法をとることもできる。この場合、ケースの有無にかかわらず記録可否の判断を行うことができる。
（第４実施形態）
次に、円周上のトラックを半径位置によって複数の領域に分割し、記録時には記録すべきトラックの属する領域ごとに角速度が異なり、領域内では角速度が一定になる回転速度（回転数）で光ディスクを回転させて記録し、記録識別子をケースに設けた場合の光記録再生方法について説明する。
【０１０６】
図７は、本実施形態で用いる光ディスク装置（光ディスクとケース）の概略構成図である。
【０１０７】
図７において、光ディスク６０は、保護のためにケース６１に収納されている。ケース６１には、第３の実施形態と同様、光ディスク６０への記録を禁止するか否かを識別するための開閉可能な記録識別子６２を設けてもよい。また、光ディスク６０は、複数の領域に分割されている。
【０１０８】
図７では、領域Ａ（ＲＡ）、領域Ｂ（ＲＢ）、及び領域Ｃ（ＲＣ）の３領域に分割している例を示している。各領域は、光ディスク６０の回転中心からの距離（半径ｒ）が所定の範囲となるように区分けされており、光ディスク６０上に同心円状に広がっている。具体的には、ＲＡ、ＲＢ、ＲＣは、所定の半径ｒにより定められる円周により区分けされている。例えば、半径ｒが３０〜６０ｍｍの光ディスクであれば、ＲＡとＲＢとを半径４０ｍｍの円周により、ＲＢとＲＣとを半径５０ｍｍの円周により分割すればよい。このように各領域は、回転中心からの距離が均等となるように分割することが好ましい。
【０１０９】
上記のように領域を設定した上で、記録時には、トラックが属する領域が外周になるほど角速度が小さくなる回転数で光ディスク６０を回転させる。例えば、上記のように区分けした光ディスクの場合、ＲＡでは１８００ｒｐｍ、ＲＢでは１３５０ｒｐｍ、ＲＣでは１０８０ｒｐｍで回転させると、記録すべきトラックと光ビームの相対線速度（走査線速度）は、ＲＡで５．６〜７．５ｍ／ｓ、ＲＢで５．７〜７．１ｍ／ｓ、ＲＣで５．７〜６．８ｍ／ｓの範囲に収まる。つまり、領域毎に記録すべきトラックと記録ヘッドの相対的な線速度の範囲が略同一になる。
【０１１０】
一般に、光ディスクに記録する場合、記録する光ビームの強度や記録パルスなどの記録条件が、線速度に大きく依存する。しかし、線速度の範囲を略同一とすると、略同一の記録条件で記録できる。なお、各領域の線速度の相違は、最大でも２ｍ／ｓ以下となるように設定することが好ましい。
【０１１１】
図７に示した光ディスク６０に対して記録再生を行う手順について、図８のフローチャートを用いて説明する。
【０１１２】
光ディスク６０を光記録装置２に装着すると（光記録媒体装着工程２０１）、再生光パワー設定工程２０２、再生サーボ学習工程２０３を経て、リードイン再生工程３０１によりリードイン領域を再生する。記録可否判断７０１では、記録識別子６２の状態を検出する。
【０１１３】
記録可否判断７０１において記録禁止ではないと判断された場合（Ｎｏ）、領域回転数設定工程７０２に移行して、上記で説明したように、光記録装置２が各領域に応じた回転速度を設定変更するモードになる。次の記録再生工程７０３では、例えば、再生を優先させた立ち上げ工程（第１実施形態で説明した各工程、または第２実施形態で説明した図３に示すＡの範囲もしくは図４に示すＢの範囲の各工程）の処理を実施し、記録再生が可能な待機状態となる。
【０１１４】
一方、記録可否判断７０１において記録禁止と判断された場合（Ｙｅｓ）、定回転数制御工程７０４に移行して、光記録装置２が領域にかかわらず（例えば、図７に示すＲＡ、ＲＢ、及びＲＣの全ての領域で）一定の回転数で光ディスク６０を回転させるモードになる。次の情報再生工程７０５では、光ディスク６０に記録されている情報を一定の回転数で再生し、その後は待機状態となる。
【０１１５】
ここで、光ディスク６０からの信号再生は、照射した光ビームの反射光を検出し、その変化から記録された情報を再生するので、線速度が変化しても光ビームの出力等の条件を変化させる必要はない。すなわち、本実施形態で説明したように、光ディスク６０への記録が禁止されている場合は、再生のみが行われるので、領域毎に回転速度を変更する必要がなくなる。この結果、光ディスクの回転速度の変更に必要な制御時間が省略でき、高速に光ディスクの情報を検索することができるようになる。
【０１１６】
なお、本実施形態では、光ディスクを３つの領域に分割した場合について説明したが、さらに多くの領域に分割させ、記録禁止になっており、かつ、光ビームが所定の領域数以上の移動をしたと判断した場合に、回転数を変更する処理をしてもよい。この場合、記録可能な場合には同じ領域内での線速度の変動がさらに小さくなり、記録禁止時には光ビームの移動量が所定の領域以上大きくなったときのみ回転数の変更をするので、再生時に回転数を変更する頻度が少なくなる。この結果、任意のトラックへの検索時間を短縮することができる。
【０１１７】
【発明の効果】
以上説明したように、本発明によれば、ユーザから見た場合、記録学習に伴う待機時間をほぼ無視できる程度にまで短縮できる。特に、書き込みが禁止されている光ディスクの場合、再生時に光ビームが光ディスクの半径方向に移動しても、回転速度が一定になる、あるいは回転速度を変更する頻度が小さくなるようしたので、回転速度変更に必要な時間を短縮できる。
【図面の簡単な説明】
【図１】  本発明の第１実施形態に係る光記録装置の構成を示すブロック図
【図２】  本発明の第１実施形態に係る光記録再生方法の手順を示すフローチャート
【図３】  本発明の第２実施形態に係る光記録再生方法の手順を示すフローチャート
【図４】  本発明の第２実施形態に係る光記録再生方法の変形例の手順を示すフローチャート
【図５】  本発明の第３実施形態に係る光記録装置の構成を示すブロック図
【図６】  本発明の第３実施形態に係る光記録再生方法の手順を示すフローチャート
【図７】  本発明の第４実施形態で用いる光ディスク装置（光ディスクとケース）の概略構成図
【図８】  図７に示す光ディスク装置に対する光記録再生方法の手順を示すフローチャート
【符号の説明】
１、２  光記録装置
１１、４１、６０  光ディスク（光記録媒体）
１２、４２、６１  ケース
１３  光ヘッド
１３１  半導体レーザ
１３２  光検出器
１４  記録パルス発生回路
１５  レーザドライバ
１６  サーボプロセッサ
１７  再生回路
１７１  プリアンプ
１７２  低域通過フィルタ（ＬＰＦ）
１７３  イコライザ（ＥＱ）
１７４  二値化回路
１７５  ＰＬＬ回路
１７６  復調回路
１８  コントローラ
１９  ホストコンピュータ
２０  タイマー
２１  優先モード選択スイッチ
２２  ジッタ検出回路
２３  クランプ
２４  スピンドルモータ
２５  スピンドルドライバ
２６  アクチュエータドライバ
２７  トラバースドライバ
２８  トラバースモータ
２９  チルトドライバ
４３  識別孔
４４  発光ダイオード
４５  フォトディテクタ
４６  記録可能判別回路
４７  スライド
２０１  光ディスク装着工程
２０２  再生光パワー設定工程
２０３  再生サーボ学習工程
２０４  管理情報再生工程
２０５  記録用サーボ学習工程
２０６  記録パワー学習工程
２０７  記録パルス学習工程
２０８  溝パラメータ学習工程
２０９  イコライズ量学習工程
３０２、３０５、３０６、３０７  カウントアップ工程
５０２  記録可否判断
６２  記録識別子
【図１】
0004294193.tif 000002
【図２】
0004294193.tif 000003
【図３】
0004294193.tif 000004
【図４】
0004294193.tif 000005
【図５】
0004294193.tif 000006
【図６】
0004294193.tif 000007
【図７】
0004294193.tif 000008
【図８】
0004294193.tif 000009